(57)【特許請求の範囲】
【請求項１】
車両の前方向あるいは後方向に沿って、発光素子を搭載する基板、前記発光素子を被って配置される偏光レンズ、並設された複数のプリズムを備えるプリズムレンズが順次に配設されて内蔵される車両用灯具であって、
前記基板、前記偏光レンズ、および前記プリズムレンズは、車両の前方向あるいは後方向に対して傾斜して配置され、
前記偏光レンズは、前記発光素子からの光を前記プリズムレンズの照射目標範囲に照射されるように連続した自由曲面を有して構成され、
前記プリズムレンズは、前記偏光レンズからの光を車両の前方向あるいは後ろ方向に指向させるように構成され、
前記プリズムレンズは、車両の前方向あるいは後方向に沿って前記発光素子と対向する領域において平板として構成され、この平板の領域を除いた他の領域にプリズムが並設されて構成されていることを特徴とする車両用灯具。
【請求項２】
前記プリズムは補正プリズムを備えて構成され、前記プリズムレンズからの出射光の輝度が均一になっていることを特徴とする請求項１に記載の車両用灯具。
【請求項３】
車両の前方向あるいは後方向に沿って、発光素子を搭載する基板、前記発光素子を被って配置される偏光レンズ、並設された複数のプリズムを備えるプリズムレンズが順次に配設されて内蔵される車両用灯具であって、
前記基板、前記偏光レンズ、および前記プリズムレンズは、車両の前方向あるいは後方向に対して傾斜して配置され、
前記偏光レンズは、前記発光素子からの光を前記プリズムレンズの照射目標範囲に照射されるように連続した自由曲面を有して構成され、
前記プリズムレンズは、前記偏光レンズからの光を車両の前方向あるいは後ろ方向に指向させるように構成され、
前記発光素子、および該発光素子を被って配置される偏光レンズは、車両の前方向あるいは後方向に交差する方向に複数並設されて設けられ、
前記プリズムレンズ面において互いに隣接する前記発光素子からの照射光のラップ部を有するとともに、このラップ部において一方の前記発光素子と他方の前記発光素子との出射光の連続性をもたせたことを特徴とする車両用灯具。
【請求項４】
複数の前記発光素子は同一の基板に搭載されていることを特徴とする請求項３に記載の車両用灯具。
【請求項５】
複数の前記発光素子は同一の基板に搭載され、前記基板と前記プリズムレンズは、それらの互いに対応する端部において離間距離が異なっていることを特徴とする請求項３に記載の車両用灯具。
【請求項６】
前記偏光レンズは、平面的に観て、第１方向の幅が前記第１方向と直交する第２方向の幅よりも大きく形成され、前記第２方向における各辺が、それぞれ、外側に凸となる第１弧状辺および第２弧状辺をなすとともに、前記第１弧状辺は前記第２弧状辺よりも径が大きく形成され、前記第１方向における各辺は、それぞれ、前記第１弧状辺および第２弧状辺を連結する滑らかな曲線をなし、
前記第２方向に沿った断面は、その中心において高い凸状をなし、この凸状の高さは、前記第１弧状辺から前記第２弧状辺にかけて大きくなった後に徐々に小さくなるように構成されていることを特徴とする請求項１ないし５のいずれか１項に記載の車両用灯具。
【発明の詳細な説明】
【技術分野】
【０００１】
本発明は車両用灯具に係り、特に、発光ダイオード等の発光素子を光源とする車両用灯具に関する。
【背景技術】
【０００２】
近年、車両用灯具の光源として、発光ダイオード等の発光素子が採用されるようになってきている。
【０００３】
この場合、発光ダイオードからの光をたとえばスクリーンに照射させた場合の照射領域が上下幅の狭い横長形状となるようにできることが要望される場合がある。
【０００４】
このため、たとえば下記特許文献１に開示されているように、該発光ダイオードの光照射方向における前方にいわゆる偏光レンズを配置させたものが知られている。この偏光レンズは、横長の形状をなし、その横方向にほぼ同型の二つの凸レンズを互いに重ね合わせ部をもつようにして並設させた形状からなる非球面レンズとなっている。発光ダイオードは、該偏光レンズの前記重ね合わせ部に対向するようにして配置されるようになっている。これにより、発光ダイオードからの光は前記二つの凸レンズによって横方向に偏光されて照射されるとともに、この光の輝度は、各凸レンズの前記重ね合わせ部を通した発光ダイオードからの光の輝度とほぼ等しくなり、たとえばスクリーンに照射させた場合の照射領域の全体がほぼ均一な明るさで光って見えるようになっている。
【先行技術文献】
【特許文献】
【０００５】
【特許文献１】特開2007-48470号公報
【発明の概要】
【発明が解決しようとする課題】
【０００６】
しかし、上述した偏光レンズは、その中心軸を発光素子の光出射面に垂直な軸に一致づけて配置させ、該偏光レンズからの光は、前記軸を中心として放射状に出射させるように構成されたものとなっている。
【０００７】
このため、発光素子を搭載する基板、該発光素子を被って配置させる偏光レンズを、車両用灯具のアウターレンズとほぼ平行に、しかも発光素子をアウターレンズのほぼ中央に対向させて配置させなければならず、該発光素子および偏光レンズの配置に制限が付されることになる。
【０００８】
したがって、車両用灯具の室内が狭いスペースになりつつある近年において、発光素子および偏光レンズの配置に自由度をもたせることが要望される。また、この場合においても、車両用灯具の室内から出射される光を均一に光らせることが必要となることはいうまでもない。
【０００９】
本発明の目的は、発光素子および偏光レンズの配置に自由度をもたせ、その際において、灯室から出射される光の輝度の均一化を図った車両用灯具を提供することにある。
【課題を解決するための手段】
【００１０】
上記課題を解決するために、本発明の車両用灯具は、発光素子、偏光レンズを車両の前方向あるいは後方向に対して傾斜させて配置させ、偏光レンズからの光をプリズムレンズによって車両の前方向あるいは後方向に指向させるように構成したものである。
【００１１】
本発明は、以下の構成によって把握される。
（１）本発明の車両用灯具は、車両の前方向あるいは後方向に沿って、発光素子を搭載する基板、前記発光素子を被って配置される偏光レンズ、並設された複数のプリズムを備えるプリズムレンズが順次に配設されて内蔵される車両用灯具であって、前記基板、前記偏光レンズ、および前記プリズムレンズは、車両の走方向あるいは後方向に対して傾斜して配置され、前記偏光レンズは、前記発光素子からの光を前記プリズムレンズの照射目標範囲に照射されるように連続した自由曲面を有して構成され、前記プリズムレンズは、前記偏光レンズからの光を車両の前方向あるいは後ろ方向に指向させるように構成されていることを特徴とする。
（２）本発明の車両用灯具は、（１）の構成において、前記プリズムレンズは、車両の前方向あるいは後方向に沿って前記発光素子と対向する領域において平板として構成され、この平板の領域を除いた他の領域にプリズムが並設されて構成されていることを特徴とする。
（３）本発明の車両用灯具は、（２）の構成において、前記プリズムは補正プリズムを備えて構成され、前記プリズムレンズからの出射光の輝度が均一になっていることを特徴とする。
（４）本発明の車両用灯具は、（１）の構成において、前記発光素子、および該発光素子を被って配置される偏光レンズは、車両の前方向あるいは後方向に交差する方向に複数並設されて設けられ、
前記プリズムレンズ面において互いに隣接する前記発光素子からの照射光のラップ部を有するとともに、このラップ部において一方の前記発光素子と他方の前記発光素子との出射光の連続性をもたせたことを特徴とする。
（５）本発明の車両用灯具は、（４）の構成において、複数の前記発光素子は同一の基板に搭載されていることを特徴とする。
（６）本発明の車両用灯具は、（４）の構成において、複数の前記発光素子は同一の基板に搭載され、前記基板と前記プリズムレンズは、それらの互いに対応する端部において離間距離が異なっていることを特徴とする。
（７）本発明の車両用灯具は、（１）ないし（６）のいずれかの構成において、前記偏光レンズは、平面的に観て、第１方向の幅が前記第１方向と直交する第２方向の幅よりも大きく形成され、前記第２方向における各辺が、それぞれ、外側に凸となる第１弧状辺および第２弧状辺をなすとともに、前記第１弧状辺は前記第２弧状辺よりも径が大きく形成され、前記第１方向における各辺は、それぞれ、前記第１弧状辺および第２弧状辺を連結する滑らかな曲線をなし、
前記第２方向に沿った断面は、その中心において高い凸状をなし、この凸状の高さは、前記第１弧状辺から前記第２弧状辺にかけて大きくなった後に徐々に小さくなるように構成されていることを特徴とする。
【発明の効果】
【００１２】
このように構成した車両用灯具によれば、発光素子および偏光レンズの配置に自由度をもたせ、この際において、灯室から出射される光の輝度の均一化を図ることができる。
【図面の簡単な説明】
【００１３】
【図１】図２に対応させて描いた図で、該プリズムレンズを拡大して示した図である。
【図２】本発明の車両用灯具の実施態様１を示し、室内に内蔵される光源、偏光レンズ、プリズムレンズを示した図である。
【図３】プリズムレンズを偏光レンズの側から観た斜視図である。
【図４】プリズムレンズにおいて、プリズムの傾斜面の一部に補助プリズムが形成されている状態を示した図である。
【図５】図４に対応させて描いた図で、補助プリズムが形成されていない場合を示した図である。
【図６】偏光レンズの構成を示した図である。
【図７】前記偏光レンズを基台と一体化して構成した偏光レンズ体の構成を示す図である。
【図８】本発明の車両用灯具の実施態様２を示した構成図である。
【図９】本発明の車両用灯具の実施態様３を示した構成図である。
【図１０】図８に示す構成において、プリズムレンズを正面側から観た斜視図である。
【発明を実施するための形態】
【００１４】
以下、添付図面を参照して、本発明を実施するための形態（以下、実施形態）について詳細に説明する。なお、実施形態の説明の全体を通して同じ要素には同じ番号を付している。
(実施態様１)
〈全体の構成〉
図２は、本発明の車両用灯具の室内に内蔵される光源１０、偏光レンズ２０、プリズムレンズ３０を示した図である。図２に示す灯具はたとえばクリアランスランプとして用いられるようになっている。なお、図２において、車両の前方向αは図中ｚ方向に一致づけて示している。
【００１５】
図２において、光源１０は、車両の前方向αに対して図中時計廻りに若干傾いて配置される基板１２と、この基板１２に搭載されたたとえば発光ダイオード等の発光素子１４とから構成されている。発光素子１４は表面（基板１２と反対側の表面）において光出射面を備え、該光出射面に対して垂直な軸Ｐを中心に放射状の広がりを有して光を照射できるようになっている。ここで、発光素子１４を搭載する基板１２を傾けて配置させたのは、比較的狭いスペースで構成される車両用灯具の室内において、光源１０の光照射方向を車両の前方向αと異ならしめて配置させる場合があるからである。
【００１６】
そして、基板１２上に発光素子１４を被うようにして偏光レンズ２０が配置されている。この偏光レンズ２０は連続した自由表面を有し、たとえば前記基板１２に固定されるようにして配置されている。この偏光レンズ２０の構成については後に詳述するが、概略、図中ｘ方向の幅が図中ｙ方向（紙面に垂直方向）の幅よりも大きく形成され、図中ｙ方向に沿った断面は中心において最も高い凸状をなし、この凸状の高さは、図中ｘ方向に沿った一辺側（図中左側辺）から他辺（図中右側辺）にかけて大きくなった後に徐々に小さくなるように構成されている。
【００１７】
発光素子１４からの光は偏光レンズ２０に入射し、偏光レンズ２０からの出射光は前記基板１２に対向されて配置されたプリズムレンズ３０に照射されるようになっている。プリズムレンズ３０は長方形をなす板状からなり、該プリズムレンズ３０の一方の面に幅方向に延在するプリズム３２が長手方向に多数配置されて構成されている。プリズムレンズ３０は、前記基板１２と同様に、車両の前方向αに対して図中時計廻りに若干傾いて配置されている。この場合、基板１２とプリズムレンズ３０は必ずしも平行になっている必要はなく、それらの互いに対応する端部において離間距離が異なるような配置であってもよい。このようにすることにより、光源１０、偏光レンズ２０、プリズムレンズ３０の配置における裕度を向上させることができるようになる。そして、図３に示すように、偏光レンズ２０を透過した発光素子１２からの光はプリズムレンズ３０の照射目標範囲（この場合、プリズムレンズ３０の裏面全域になっている）において輝度を等しくして照射されるようになっている。すなわち、偏光レンズ２０を透過した発光素子１４からの光は、偏光レンズ２０の後述する構成によって、プリズムレンズ３０の照射目標範囲からはみ出すことなく、またプリズムレンズ３０の照射目標範囲において非照射部を有することなく照射されるようになっている。このように構成することによって、発光素子１２からの光の無駄をなくした有効利用が図れるようになっている。なお、図３は、プリズムレンズ３０を偏光レンズ２０の側から観た斜視図で、基板１２、発光素子１４を省略して示した図である。
【００１８】
プリズムレンズ３０は、偏光レンズ２０からの光を車両の前方向αに指向させて照射されるように構成されている。図１は、図２と対応させて描くとともに該プリズムレンズ３０を拡大して示した図である。図１において、プリズムレンズ３０のたとえば発光素子１４と反対側の面において、複数のプリズム３２が形成され、これらプリズム３２は、図中ｙ方向（紙面に垂直方向）に延在し断面がほぼ三角形状をなし、該ｙ方向に直交する方向に複数並設されて設けられている。この場合、発光素子１４と車両の前方向αに沿った対向面は平板となってプリズム３２が形成されていない領域Ｍとなっており、この領域Ｍの両脇の領域にそれぞれプリズムが並設されるようになっている。プリズムレンズ３０において上述のようにプリズム３２が形成されていない領域Ｍを設けたのは、この領域Ｍを通過する偏光レンズ２０からの光は車両の前方向αに照射されるようになり、光の配向を行う必要がないからである。
【００１９】
そして、プリズムレンズ３０の図中右側に形成される複数のプリズム３２からなるプリズム群ＰＲによって、偏光レンズ２０からの光は図中反時計廻りに傾倒するように屈折され、車両の前方向αに平行となって出射されるようになっている。また、プリズムレンズ３０の図中左側に形成される複数のプリズム３２からなるプリズム群ＰＬによって、偏光レンズ２０からの光は図中時計廻りに傾倒するように屈折され、車両の前方向αに平行となって出射されるようになっている。
【００２０】
この場合、図中右側のプリズム群ＰＲにおいて、偏光レンズ２０からの光の入射方向に対する車両の前方向αの開き角度（たとえばプリズムレンズ３０の右端においてθ１で示す）が他方のプリズム群ＰＬよりも大きいことから、プリズム群ＰＲの各プリズム３２において断面形状が他方のプリズム群ＰＬの各プリズム３２よりも大きく形成されているとともに、プリズムレンズ３０の右端から中央部（領域Ｍ）にかけて配向角（前記θ１に対応する角度）が順次大きくなるように各プリズム３２の断面形状を小さくしている。また、図中左側のプリズム群ＰＬにおいて、偏光レンズ２０からの光の入射方向に対する車両の前方向αの開き角度（たとえばプリズムレンズの左端においてθ２（＜θ１）で示す）が他方のプリズム群ＰＲよりも小さいことから、プリズム群ＰＬの各プリズム３２において断面形状が他方のプリズム群ＰＲの各プリズム３２よりも比較的小さく形成されているとともに、プリズムレンズ３０の左端から中央部（領域Ｍ）にかけて配向角（前記θ２に対応する角度）を順次大きくなるように各プリズム３２の断面形状を大きくしている。
【００２１】
さらに、プリズムレンズ３０には、該プリズムレンズ３０からの出射光の輝度を均一にさせるために、各プリズム３２において、補助プリズムを設けるように構成されている。図４は、プリズムレンズ３２において形状の大きなプリズム３２（図中左側）と形状の小さなプリズム３２（図中右側）を併せて示し、これらプリズムの傾斜面の一部に補助プリズム３２ａが形成されていることを示している。なお、図４は、プリズム３２の延在方向に直交する面で薄くスライスした形状で示すことによって補助プリズム３２ａの形成個所を明確にしている。図４において、プリズムレンズ３０に入射する光のうち前記補助プリズム３２ａに入射する光は車両の前方向αに平行に出射されるようになっている。ちなみに、図５は、図４と対応づけて描いたプリズムレンズ３０であり、上述の補助プリズム３２ａが形成されていない場合を示した図である。この場合、図４と比較して明かとなるように、補助プリズム３２ａが形成されていない個所にて出射される光は車両の前方向αに平行とならずに散乱し、この散乱光がプリズムレンズ３０の輝度の均一化を妨げる要因となってしまう。このことから、図４に示すように、各プリズム３２において補助プリズムを設けることによって、プリズムレンズ３０からの出射光の輝度を均一にできる効果を奏するようになる。
〈偏光レンズ〉
次に、上述した偏光レンズ２０の構成の詳細について説明する。図６は偏光レンズ２０の構成を示した図で、（ａ）は平面図、（ｂ）は底面図、（ｃ）は（ａ）のｃ−ｃ線における断面図、（ｄ）は図（ａ）のｄ−ｄ線における断面図である。
【００２２】
まず、偏光レンズ２０は、図６（ａ）に示すように、平面的に観た場合、図中ｘ方向（第１方向と称する場合がある）の幅が図中ｙ方向（第２方向と称する場合がある）の幅よりも大きく形成されている。そして、図中ｘ方向における各辺（ｙ方向辺）が、それぞれ、外側に凸となる第１弧状辺２０Ａおよび第２弧状辺２０Ｂをなしている。この場合、たとえば、第１弧状辺２０Ａは第２弧状辺２０Ｂよりも径が大きく形成されている。そして、図中ｙ方向における各辺（ｘ方向辺）は、それぞれ、前記第１弧状辺２０Ａおよび第２弧状辺２０Ｂを連結させた滑らかな曲線２０Ｃをなしている。
【００２３】
また、図中ｙ方向に沿った断面である図６（ｄ）に示すように、中心において最も高い凸状をなし、この凸状の高さは、図中ｘ方向に沿った断面である図（ｃ）に示すように、第１弧状辺３０Ａ側から前記第２弧状辺３０Ｂ側にかけて大きくなった後に徐々に小さくなるように構成されている。
【００２４】
さらに、偏光レンズ２０は、その底面である図（ｂ）に示すように、発光素子１４と対向する面に凹面２０Ｄが形成され、この凹面２０Ｄは図中ｙ方向に延在する仮想の軸Ｑを中心とする円弧面（円柱面）で構成されている。なお、図６（ａ）、（ｂ）には、偏光レンズ２０の他に発光素子１４をも併せ描画しており、発光素子１４は、偏光レンズ２０の円弧面の図中ｘ方向における中心に位置づけられるにようになっている。偏光レンズ２０の凹面２０Ｄは、この凹面２０Ｄを通して発光素子１４からの光をほとんど反射させることなく効率的に偏光レンズ２０内に入射できる効果を奏するようになっている。
【００２５】
図７は、前記偏光レンズ２０を具備した偏光レンズ体２５を示した図である。図７（ａ）は斜視図、図７（ｂ）は平面図、図７（ｃ）は図７（ｂ）のｃ−ｃ線における断面図、図７（ｄ）は正面図、および図７（ｅ）は側面図である。図７において、偏光レンズ体２５は、偏光レンズ２０を比較的小さく形成する場合もあることに鑑み、基台２７とともに一体化して構成し、取り扱いが容易になる構成となっている。また、これにより、偏光レンズ２０は、基台２７によってたとえば基板１２に取り付け易い構成となっている。
【００２６】
そして、このように偏光レンズ２０と基台２７を具備する偏光レンズ体２５はたとえば樹脂材の一体成形によって形成されるようになっている。図７（ａ）、（ｂ）において、基台２７において偏光レンズ２０の両脇に一対の孔２７Ａが形成されており、これら孔２７Ａは樹脂材の成形を行い易くするための孔となっている。
【００２７】
このように構成した車両用灯具は、光源１０（基板１２、発光素子１４）を車両の前方向αに対して傾けて配置させることができ、比較的狭いスペースからなる室内において光学部材の配置の自由度を向上させることができる。また、車両の前方向αに対して傾けて配置させた光源１０からの光を偏光させる偏光レンズ２０によって光の輝度の均一化を図っており、該偏光レンズ２０からの光をプリズムレンズ３０によって車両の前方向αに光を指向させる場合において、該プリズムレンズ３０の輝度の均一化をはかることができる。
【００２８】
（実施態様２）
図８は、本発明の車両用灯具の他の実施態様を示す構成図である。図８に示すように、車両用灯具の室内には、図２に示した基板１２、発光素子１４、偏光レンズ２０、およびプリズムレンズ３０を一単位（ユニット）とし、これらを複数（図ではたとえば３個）図中ｘ方向へ並設させて構成されたものとなっている。
【００２９】
そして、たとえば、それぞれのプリズムレンズ３０は、同一平面内に位置づけられるように配置されている。この場合、各ユニットは幾何学的に同じとなっていることから、各光源１０における基板１２は異なる平面内に位置づけられるようになっている。なお、この場合、各プリズムレンズ３０は連続された一枚のプリズムレンズとして構成するようにしてもよい。
【００３０】
また、それぞれの基板１２を同一平面内に位置づけるようにしてもよい。この場合においても、各ユニットは幾何学的に同じとなっていることから、各プリズムレンズ３０は異なる平面内に位置づけられるようになる。なお、この場合、各基板１２は連続された一枚の基板として構成するようにしてもよい。
【００３１】
このように構成された車両用灯具は、光源１０（発光素子１４、偏光レンズ２０）の数に応じて、光照射領域を拡大させることができる効果を奏する。
【００３２】
（実施態様３）
図９は、本発明の車両用灯
具の他の実施態様を示す構成図である。図９に示す構成は、基板１２、発光素子１４、偏光レンズ２０、およびプリズムレンズ３０を一単位（ユニット）とし、これらを複数図中ｘ方向へ並設させて構成させた点は図８の場合と同様となっている。しかし、各基板１２、各プリズムレンズ３０において、それぞれ同一平面内に位置づけ互いに連結された一枚の基板、一枚のプリズムレンズとして構成していることにある。このようにした場合、部品の点数の低減を図ることができ、組み立てを容易にすることができる。
【００３３】
また、図９に示すように、プリズムレンズ３０の面に、隣接する光源１０（発光素子１４、偏光レンズ２０）からの照射領域が互いに重畳されるラップ部ＰＬが設けられるようになっている。この場合、図１０は、プリズムレンズ３０を正面側（偏光レンズ２０と反対の面側）から観た斜視図であり、プリズムレンズ３０面の前記ラップ部ＰＬにおける各プリズム３２は、該ラップ部ＰＬを除いた領域であって隣接する光源１０（発光素子１４、偏光レンズ２０）のそれぞれの照射領域の間に、輝度の段差を生じさせることなく連続性をもたせるように構成されている。すなわち、ラップ部ＰＬにおける各プリズム３２は、該ラップ部ＰＬに照射される光を車両の前方向α（図中ｚ方向）に指向するように構成され、さらに、該ラップ部ＰＬの両脇のプリズム３２と大きさ、傾斜角度を連続させるように構成されている。
【００３４】
なお、図９では、基板１２、プリズムレンズ３０において、図中右端におけるそれらの離間距離は、図中左端におけるそれらの離間距離よりも小さくなるように配置させたものである。しかし、これに限らず、基板１２、プリズムレンズ３０は互いに平行となるように配置させてもよい。
【００３５】
（実施態様４）
上述した実施態様では、偏光レンズ２０は、いずれも図６、図７に示したように構成され、これにより、偏光レンズ２０は、該偏光レンズ２０を透過した発光素子１４からの光が、プリズムレンズ３０の照射目標範囲からはみ出すことなく、またプリズムレンズ２０の照射目標範囲において非照射部を有することなく照射されるような自由曲面を有するものとなっている。しかし、偏光レンズ２０は、このような構成に限定されることはなく、たとえば、プリズムレンズ３０の照射目標範囲から若干はみ出すように構成されていてもよい。このような場合であっても、本発明の目的が達成できるからである。
【００３６】
なお、上述した実施態様では、いずれも、車両の前方に設置される灯具について説明したものである。しかし、車両の後方に設置される灯具について適用できることはいうまでもない。この場合においても、発光素子を搭載する基板、発光素子を被って配置される偏光レンズ、並設された複数のプリズムを備えるプリズムレンズは、車両の後方方向に沿って順次配設されるようになる。
【００３７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３８】
１０……光源、１２……基板、１４……発光素子、２０……偏光レンズ、２０Ａ……第１弧状辺、２０Ｂ……第２弧状辺、２０Ｃ……滑らかな曲線、２０Ｄ……凹面、２５……偏光レンズ体、２７……基台、２７Ａ……孔、３０……プリズムレンズ、３２……プリズム、３２ａ……補助プリズム、Ｍ……プリズムが形成されていない領域、ＰＲ、ＰＬ……プリズム群、ＰＬ……ラップ部。
【図１】
0005626060.tif 000002
【図２】
0005626060.tif 000003
【図３】
0005626060.tif 000004
【図４】
0005626060.tif 000005
【図５】
0005626060.tif 000006
【図６】
0005626060.tif 000007
【図７】
0005626060.tif 000008
【図８】
0005626060.tif 000009
【図９】
0005626060.tif 000010
【図１０】
0005626060.tif 000011